(57)【要約】【課題】  本発明は、強弱の調整が容易でビーズ破砕用としても適用することのできるチューブ内試料液の攪拌方法を新規に提供しようとするものである。【解決手段】  本発明は、マイクロチューブ等の容器に収めた試料や試薬の効率的な攪拌および遠心による回収操作をひとつのモーターで実現するため、器体の上部に設けるチューブ架装用のローターの振とう作動を試料液を衝突させる扇形往復動の揺動形にして、該扇形往復動の幅と速さをオペレーションパネル操作による電圧の高低変化と扇形往復動のタイムの長短にて強弱に調整可能としたことを特徴とする架装チューブ内の試料液の攪拌方法または破砕方法にある。【選択図】  図３
2009168776.tif 000002
【特許請求の範囲】
【請求項１】
マイクロチューブ等の容器に収めた試料や試薬の効率的な攪拌および遠心による回収操作をひとつのモーターで実現するため、器体の上部に設けるチューブ架装用のローターの振とう作動を試料液を衝突させる扇形往復動の揺動形にして、該扇形往復動の幅と速さをオペレーションパネル操作による電圧の高低変化と扇形往復動のタイムの長短にて強弱に調整可能としたことを特徴とする架装チューブ内の試料液の攪拌方法または破砕方法。
【請求項２】
扇形往復動の往と復のタイムをわずかづつずらして区間位置を周回方向に徐々にずれ動くようにする請求項１に記載の攪拌方法または破砕方法。
【発明の詳細な説明】
【技術分野】
【０００１】
本発明は、試料液を振とう攪拌と遠心回転によりスピンダウンさせる装置において、振とう攪拌を旋回による流れ攪拌ではなしに往復動による衝突攪拌にして強化された高速反転振とう攪拌にすること、さらには混入する破砕用の粒子を効果的に衝突させて試料液中の一部の破砕を促進する試料液の攪拌と破砕方法に関するものである。
【背景技術】
【０００２】
この種の撹拌装置としては本願出願人が提案している特開２００７−２３７０３６号公報の発明がある。該発明はモーター上の回転シャフトに偏心カムを設け、該回転シャフトと上部に載嵌する回転子ステージとの間に回転，旋回に切替制御する内外２つのワンウェイクラッチを設けて、該クラッチの旋回制御により該シャフトとともに試験管架装用のヘッドゴムを旋回回動させて、ヘッドゴム上の試験管内の液体を攪拌し、回転制御に切替えてヘッドゴムを回転遠心作用をさせて攪拌液体を試験管内の下方に集めてスピンダウンする撹拌，スピンダウンの切替装置を記載している。
【特許文献１】特開２００７−２３７０３６号公報
【発明の開示】
【発明が解決しようとする課題】
【０００３】
しかしながら、上記公報の発明は、偏心カムの外出による回転シャフトの旋回により試料液を流れ攪拌するにとどまるので、攪拌能力が弱く、従って所期の攪拌成果が得られないという課題があった。
また旋回による一方向の流れによって試料液中に破砕用のビーズを混入しても相互に流れるだけで衝突によるビーズ破砕が行われないという課題があった。
【課題を解決するための手段】
【０００４】
本発明は、器体の上部に設けるローターを回転と振とうに切替えるようにした試料液の撹拌装置において、振とう攪拌を従来にない扇形往復動による衝突攪拌，衝突破砕の高速反転振とう方式にして、しかも扇形往復動の幅と速さをオペレーションパネル操作による電圧の高低変化と往復動のタイムを長短することで広範囲において強弱調整を可能にして、かかる課題を解決するようにしたのである。
【発明の効果】
【０００５】
本発明は、ローターに架装するチューブ内試料液の振とう作動を一定角内を往復動する扇形往復動により衝突が反複する高速反転振とう方式にしたので、試料液の攪拌，破砕が著しく強化されて短時間にて所期の成果が得られるという効果を生ずる。扇形往復動の幅と速さを調整することで強さを自由に選ぶことができるという効果を生ずる。
【０００６】
振とうの強弱調整はオペレーションパネルの操作にて電圧の高低変化と扇形往復動のタイムを長短することで広範囲に亘って簡易に行うことができるという効果を生ずる。
【０００７】
扇形往復動する一定角の区間を周回方向に徐々にずらすことで、扇形往復動が一部区間だけで繰返される際のかたより損耗を防止することができるという効果を生ずる。
【発明を実施するための最良の形態】
【０００８】
本発明は、器体の上部に設けるマイクロチューブ架装用のローターを回転と振とう作動に切替えるようにしたチューブ内試料液の撹拌装置において、該ローターの振とう作動を試料液を衝突させる扇形往復動の揺動形にして、該扇形往復動の幅と速さをオペレーションパネル操作による電圧の高低変化と扇形往復動のタイムの長短にて強弱に調整可能とするのである。
扇形往復動の往と復のタイムにわずかづつ時間差を設けることで、扇形往復動する区間を周回方向に徐々にずれ動くようにして、一部区間での扇形往復動の連続によるかたより損耗を防止する。
【実施例１】
【０００９】
器体１内の中心部に上向きに設けるブラシレスＤＣモーター２より上方に伸びる回転軸２ａの上端に試料液Ｓを収容するマイクロチューブＴを放射状に架装するローター３を水平取付け、該ローター３を器体１の前面のオペレーションパネル４の操作により遠心用の回転作動と振とう用の扇形往復動とに切替えることができるようにする。オペレーションパネル４は、回転遠心（centrifuge）と扇形往復動（Mixing）による振とうに切替えるモード切替スイッチのほか、電圧を高低して回転または扇形往復動の速度調整をするためのボリュームスイッチまたは電圧入力部、扇形往復動時の往復のタイムを長短調整するタイム入力部および装置の作動時間を設定する入力部を備えている。５は器体カバーである。
【００１０】
図２はローター３を扇形往復動に切替えて作動させる際のモーター２の駆動回路の１例を示すもので、図２（ａ）に示すように、入力されたタイムに従って動作する電子回路により、スイッチをすべてＯＦＦにした状態からＡとＤのスイッチをＯＮするとモーター２は正回転（往動）し、図２（ｂ）に示すようにＢとＣのスイッチをＯＮすると逆回転（復動）することとなる。全スイッチのＯＦＦ状態より（１）ＡとＤスイッチのＯＮ、（２）ＡとＤスイッチのＯＦＦ、（３）ＢとＣスイッチのＯＮ、（４）ＢとＣスイッチのＯＦＦまでの（１）〜（４）をタイム設定に従って繰返すことにより回転軸２ａを経てローター３と架装チューブＴを図３に示すように一定区間内を扇形往復動させることとなる。
【００１１】
チューブＴをローター３に架装して試料液Ｓを攪拌するときはオペレーションパネル４のモード切替スイッチにより扇形往復動を選択し、さらに電圧の高低と往復のタイム設定をする。
一定の電圧のもとで扇形往復のタイムを長くすれば幅は長く大きな振とうとなり、タイムを短くすれば幅の短い小さな振とうとなる。またタイムを一定にしておいて、電圧を高くすれば回転速度が速くなることで扇形往復幅は大きくなり、電圧を低くすれば回転速度が遅くなる分において幅は短くなる。このような電圧とタイムの設定を適宜に組合わせることで、ローター３の扇形往復動の幅と速度を、大きく速く／大きくゆっくり〜小さく速く／小さくゆっくりまで無段階または段階的に設定し得て、攪拌能力の強弱を試料液Ｓの内容に適応させて所望の強さに調整することができることとなる。なお扇形往復幅は大きくしすぎると試料液Ｓが衝突揺動しない一方向への移動が長くなって攪拌作用が低下するので、回転速度は１００〜２６００ｒ／ｍｉｎの範囲、反転するタイムは１０ｍｓ〜２００ｍｓの範囲にして、中心角度は微細に振るえる角度〜９０度程度の範囲内にとどまるようにすることが適格である。
【００１２】
攪拌終了後はローター３を回転遠心のモードに切替えて、攪拌によってチューブＴの内壁，蓋に付着した試料液ＳをスピンダウンしてチューブＴの底側にすべて落とし集めするのである。
【実施例２】
【００１３】
次に試料液Ｓに混入したビーズの衝突により試料液Ｓの一部分子である菌体をビーズ破砕する例について説明する。
大腸菌，酵母等の破砕を目的とする菌体を培養した試料液ＳをチューブＴ内に充填してローター３に架装し、先づ試料液中の菌体を濃縮するために遠心用の回転遠心のモードを選択し、菌体を遠心沈殿させて濃縮する。
菌体が濃縮された試料液Ｓを少量に再懸濁し、その試料液Ｓ内に図４に示すように破砕材として０.２乃至０.６ｍｍ径のマグネット製，ガラス製，ジルコニアシリカ製などのビーズ６を数百個混入してからローター３に再架装し、扇形往復動のモードに切替えて破砕作動を開始するのである。事前に菌体を高密度に濃縮していることと、扇形往復動の反転時に繰返されるビーズ６の激しい衝突，挟圧等によって菌体は短時間にて所望の状態に破砕することができるものとなる。次表は酵母の破砕試験の結果を表したもので、破砕開始後約２分で８０％以上の菌体の破砕が認められ、ビーズ破砕専用機の能力に匹敵する破砕効率が得られた。このようにして本発明によれば濃縮のための回転遠心と破砕のための扇形往復動とを１台の装置のモード切替によって能率よく行えるものとなる。
【００１４】
【表１】
2009168776.tif 000003
【実施例３】
【００１５】
図５は扇形往復動の往路と復路のタイムをわずかづつずらして設定したときの作動例を示すものである。例えば往路のタイムを５０ｍｓ（ｔ１）とした場合に、復路のタイムを４９ｍｓ（ｔ２）とわずかに短く設定すると、この時間差によって復路の扇形幅ｗ１が往路の扇形幅ｗ２より短くなることによって、扇形往復する区間位置が往路の周回方向に徐々にずれ動いてゆくようにしたのである。かくすることにより数百回から数万回も繰返される扇形往復動によって生じ勝ちなモーター回転軸２ａ等のかたより損耗を防止することができることとなる。往路と復路のタイムを各別に入力するかわりに、往路のタイムを入力すると自動的に復路のタイムをわずかに短く設定するようにプログラミングすることもできる。なお図面では理解しやすいようにずれ動き位置を大きく示しているが、実際にはほんのわずかづつのずれ動きである。
【産業上の利用可能性】
【００１６】
本発明は、回転遠心と強弱調整自在な衝突攪拌に加えてビーズ破砕も行うことのできる架装チューブ内の試料液の攪拌方法・破砕方法として理化学試験の分野で広く利用することができるものである。
【図面の簡単な説明】
【００１７】
【図１】（ａ）は本発明の実施例装置の１例を示す側断面図、（ｂ）は同、平面図
【図２】モーターの作動回路の１例を示すもので、（ａ）は正回転（往路）時、（ｂ）は逆回転（復路）時の状態図
【図３】扇形往復動を示す説明図
【図４】破砕用のビーズを混入した状態のチューブを示す拡大断面図
【図５】扇形往復動の往路と復路に時間差を設けたときの往復区間のずれ移動を示す説明図
【符号の説明】
【００１８】
１は器体
２はブラシレスＤＣモーター
２ａは回転軸
３はチューブ架装用のローター
４はオペレーションパネル
５は器体カバー
６はビーズ
Ｔはチューブ
Ｓは試料液
【図１】
2009168776.tif 000004
【図２】
2009168776.tif 000005
【図３】
2009168776.tif 000006
【図４】
2009168776.tif 000007
【図５】
2009168776.tif 000008